(57)【要約】【課題】本発明は、より少ない通信トラフィック量で通信環境を把握でき、この通信環境に応じた適切なデータ容量でデータを転送できる被監視者監視装置および該方法ならびに被監視者監視システムを提供する。【解決手段】本発明の被監視者監視装置Ｔａは、監視対象を撮像して画像データを生成する撮像部１１と、通信を行う通信部１５と、通信環境と画像データの容量との対応関係を示す対応情報を記憶する対応情報記憶部１６１と、監視対象の画像の画像データを受信装置Ｒへ送信する制御処理部１４ａとを備え、制御処理部１４ａは、受信装置Ｒの通信環境に所定の変化を生じたと受信装置Ｒが判定した場合に受信装置Ｒから送信された現在の通信環境を示す現在通信環境情報を受信して前記現在の通信環境に対応する画像データの容量を前記対応情報から取得し、前記監視対象の画像の画像データをこの取得した画像データの容量で受信装置Ｒへ送信する。【選択図】図１
2019201437.tif 000002
【特許請求の範囲】
【請求項１】
受信装置および被監視者監視装置を備える被監視者監視システムであって、
前記受信装置は、
通信を行う受信側通信部と、
通信環境を検出する通信環境検出部と、
前記通信環境検出部で検出した通信環境に所定の変化を生じたか否かを判定する通信環境判定処理部と、
前記通信環境判定処理部で前記通信環境に前記所定の変化を生じたと判定した場合に、前記通信環境検出部で検出した通信環境を現在の通信環境として該現在の通信環境を示す現在通信環境情報を前記被監視者監視装置へ送信する通信環境通知処理部とを備え、
前記被監視者監視装置は、
監視対象を撮像し、前記監視対象の画像の動画データを生成する撮像部と、
通信を行う監視側通信部と、
通信環境と画像データの容量との対応関係を示す対応情報として、フレームレートが一定であって通信環境と画像サイズとの対応関係を示すフレームレート優先の対応情報と、画像サイズが一定であって通信環境とフレームレートとの対応関係を示す画像サイズ優先の対応情報と、を記憶する対応情報記憶部と、
前記受信装置から送信された前記現在通信環境情報を前記監視側通信部を介して受信して前記現在通信環境情報に示される前記現在の通信環境に対応する画像データの容量を前記対応情報記憶部に記憶された前記対応情報から取得し、前記撮像部で生成した前記監視対象の画像の動画データを前記取得した画像データの容量で前記監視側通信部を介して前記受信装置へ送信する送信制御部と、
前記現在通信環境情報に示される前記現在の通信環境に対応する画像データの容量を取得する際に、前記フレームレート優先の対応情報を用いるか前記画像サイズ優先の対応情報を用いるかの選択を受け付ける使用対応情報受付部とを備え、
前記送信制御部は、前記現在通信環境情報に示される前記現在の通信環境に対応する画像データの容量を取得する際に、前記使用対応情報受付部で受け付けた対応情報を用いること
を特徴とする被監視者監視システム。
【発明の詳細な説明】
【技術分野】
【０００１】
本発明は、監視すべき監視対象である被監視者を監視し、前記被監視者に関する所定の情報を受信装置に送信する被監視者監視システムに関する。
【背景技術】
【０００２】
我が国は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、高齢化社会ではない通常の社会で生じる、病気や怪我や高齢等による看護や介護を必要とする要看護者よりもその増加が見込まれる。
【０００３】
このような要看護者は、病院や、老人福祉施設（日本の法令では老人短期入所施設、養護老人ホームおよび特別養護老人ホーム等）等の施設に入所し、その看護や介護を受ける。このような病院や老人福祉施設等の施設では、要看護者が看護や介護を受けようとする場合に看護師や介護士を呼ぶために利用される、いわゆるナースコールシステムが一般に設けられている。また、要看護者の状態をモニタ（監視）するための機器が必要に応じて前記ナースコールシステムに組み込まれ、前記機器は、前記要看護者の状態を看護師や介護士の持つ受信装置（受信端末）に送信するように構成される。
【０００４】
このような要看護者の状態をモニタする機能を持つナースコールシステムでは、例えば音声や画像等の情報（データ）を交換するために前記機器と前記受信装置との間で通信が行われることになる。この通信は、例えば公衆回線やＬＡＮ（Ｌｏｃａｌ  Ａｒｅａ  Ｎｅｔｗｏｒｋ）の回線等の通信回線（伝送路）を用いて行われるが、例えば通信確立の成否や転送レート等の通信状態は、前記通信回線における通信環境（通信状況、通信混雑状況）の良否の程度に依存する。特に、前記ナースコールシステムでは、前記要看護者の状態によっては緊急に対処する必要が有り得、前記機器と前記受信装置との間において通信のリアルタイム性が要求される。このため、前記通信には、前記通信環境に応じた適切なデータ転送が望まれる。
【０００５】
このような送信装置と受信装置との間で通信環境に応じた適切なデータ転送を実行する技術として、例えば、特許文献１に開示された画像供給装置がある。この特許文献１に開示された画像供給装置は、表示装置に対し通信回線を介して画像データを連続して送信し、前記表示装置により前記画像データを表示させる画像供給装置であって、前記画像データより小さい検出用のデータを前記表示装置に送信し、前記検出用のデータが前記表示装置に到達した到達時間に基づいて通信状況（混雑状況）を検出する検出手段と、前記検出手段により検出された通信状況に基づいて、前記表示装置に対して送信する前記画像データの単位時間当たりのデータ量を変化させる送信データ制御手段と、を備える。より具体的には、前記検出手段は、返信を要求するコマンドを含む検出用のデータを定期的に表示装置に送信し、前記表示装置は、前記検出用のデータを受信すると、前記検出用のデータが到達した到達時間を返信する。これによって送信データ制御手段は、前記到達時間に基づいて当該画像供給装置と前記表示装置との間における通信回線の通信状況を検出し、この検出した通信状況に基づいて画像データの単位時間当たりのデータ量を変化させる（［００２５］段落ないし［００２８］段落）。
【先行技術文献】
【特許文献】
【０００６】
【特許文献１】特開２０１４−４９９４２号公報
【発明の概要】
【発明が解決しようとする課題】
【０００７】
ところで、前記特許文献１では、通信環境に応じた適切なデータ容量でデータ転送を実現するために、画像供給装置と表示装置との間で検出用のデータの送信及びその返信が定期的に繰り返されている。このため、例えば音データや画像データ等の本来転送したいデータの通信トラフィックとは別に余分な通信トラフィックが、通信環境の確認のために、往復（送受信）で発生してしまう。特に、受信装置が複数ある場合には、通信環境の確認のための通信トラフィックの量は、無視できない程、多くなってしまう。
【０００８】
本発明は、上述の事情に鑑みて為された発明であり、その目的は、より少ない通信トラフィック量で通信環境を把握でき、この通信環境に応じた適切なデータ容量でデータを転送できる被監視者監視システムを提供することである。
【課題を解決するための手段】
【０００９】
本発明者は、種々検討した結果、上記目的は、以下の本発明により達成されることを見出した。すなわち、本発明の一態様にかかる被監視者監視装置は、監視対象を撮像し、前記監視対象の画像の動画データを生成する撮像部と、受信装置と通信を行う通信部と、通信環境と画像データの容量との対応関係を示す対応情報として、フレームレートが一定であって通信環境と画像サイズとの対応関係を示すフレームレート優先の対応情報と、画像サイズが一定であって通信環境とフレームレートとの対応関係を示す画像サイズ優先の対応情報と、を記憶する対応情報記憶部と、前記受信装置の通信環境に所定の変化を生じたと前記受信装置が判定した場合に前記受信装置から送信された現在の通信環境を示す現在通信環境情報を前記通信部を介して受信して前記現在通信環境情報に示される前記現在の通信環境に対応する画像データの容量を前記対応情報記憶部に記憶された前記対応情報から取得し、前記撮像部で生成した前記監視対象の画像の動画データを前記取得した画像データの容量で前記通信部を介して前記受信装置へ送信する送信制御部と、前記現在通信環境情報に示される前記現在の通信環境に対応する画像データの容量を取得する際に、前記フレームレート優先の対応情報を用いるか前記画像サイズ優先の対応情報を用いるかの選択を受け付ける使用対応情報受付部とを備え、前記送信制御部は、前記現在通信環境情報に示される前記現在の通信環境に対応する画像データの容量を取得する際に、前記使用対応情報受付部で受け付けた対応情報を用いることを特徴とする。
【００１０】
このような被監視者監視装置では、受信装置は、その通信環境に所定の変化があるか否かを判定し、その判定の結果、前記通信環境に所定の変化が生じたと判定した場合に、受信装置から被監視者監視装置へ受信装置における現在の通信環境を示す現在通信環境情報を通知する。そして、被監視者監視装置は、この受信装置から受信した現在通信環境情報に示される前記受信装置における現在の通信環境に対応する画像データの容量（データ容量）で監視対象の画像の動画データを前記受信装置へ送信する。したがって、上記被監視者監視装置は、被監視者監視装置から受信装置の通信環境を問い合わせることなく、通信環境の把握のために、受信装置から被監視者監視装置への片道の通信で済み、また、受信装置の通信環境に所定の変化があった場合に、受信装置から被監視者監視装置へ現在通信環境情報が通知されるので、定期的に通信トラフィックが発生することも無い。このため、上記被監視者監視装置は、より少ない通信トラフィック量で通信環境を把握でき、この通信環境に応じた適切なデータ容量で動画データを被監視者監視装置から受信装置へ転送できる。また、対応情報にフレームレート優先の対応情報を含むので、このフレームレート優先の対応情報を用いることで、受信装置における現在の通信環境下で最もフレームレートの高い動画を受信装置で参照でき、監視対象の動作を、受信装置における現在の通信環境下で最も的確に把握できる。また、対応情報に画像サイズ優先の対応情報を含むので、この画像サイズ優先の対応情報を用いることで、受信装置における現在の通信環境下で最も大きい画像、すなわち、最も解像度の高い画像を受信装置で参照でき、監視対象の様子を、受信装置における現在の通信環境下で最も的確に把握できる。また、使用対応情報受付部をさらに備え、前記送信制御部が前記使用対応情報受付部で受け付けた対応情報を用いるので、ユーザ（オペレータ）は、監視目的に応じてフレームレート優先の対応情報を用いるか前記画像サイズ優先の対応情報を用いるかを選択でき、前記監視目的を達成し易くなる。
【００１１】
また、他の一態様では、これら上述の被監視者監視装置において、前記監視対象の音を入力する音入力部をさらに備えることを特徴とする。
【００１２】
このような被監視者監視装置は、音入力部をさらに備えるので、監視対象の画像だけでなく、監視対象の音も受信装置へ送信可能となる。このため、ユーザは、監視対象の音を参照することで、監視対象の様子をより的確に把握できる。
【００１３】
また、他の一態様では、これら上述の被監視者監視装置において、通信を行う通信部をそれぞれ備え互いに通信可能な第１および第２装置を備え、前記撮像部、前記対応情報記憶部および前記送信制御部のうちの一部は、前記第１装置に備えられ、前記撮像部、前記対応情報記憶部および前記送信制御部のうちの残部は、前記第２装置に備えられることを特徴とする。
【００１４】
このような被監視者監視装置は、第１および第２装置で構成されるので、分散配置でき、被監視者監視装置を配設する施設の間取りに応じて被監視者監視装置を配設できる。
【００１５】
そして、本発明の他の一態様にかかる被監視者監視方法は、監視対象を撮像し、前記監視対象の画像の動画データを生成する撮像工程と、受信装置の通信環境に所定の変化を生じたと前記受信装置が判定した場合に前記受信装置から送信された現在の通信環境を示す現在通信環境情報を受信する第１工程と、前記第１工程で受信した前記現在通信環境情報に示される前記現在の通信環境に対応する画像データの容量を、通信環境と画像データの容量との対応関係を示す対応情報から取得する第２工程と、を含み、前記撮像工程で生成した前記監視対象の画像の動画データを前記第２工程で取得した画像データの容量で前記受信装置へ送信する送信制御工程と、前記現在通信環境情報に示される前記現在の通信環境に対応する画像データの容量を取得する際に、フレームレートが一定であって通信環境と画像サイズとの対応関係を示すフレームレート優先の対応情報を用いるか画像サイズが一定であって通信環境とフレームレートとの対応関係を示す画像サイズ優先の対応情報を用いるかの選択を受け付ける使用対応情報受付工程とを備え、前記送信制御工程の前記第２工程では、前記現在通信環境情報に示される前記現在の通信環境に対応する画像データの容量を取得する際に、前記使用対応情報受付工程で受け付けた対応情報を用いることを特徴とする。
【００１６】
このような被監視者監視方法では、受信装置は、その通信環境に所定の変化があるか否かを判定し、その判定の結果、前記通信環境に所定の変化を生じたと判定した場合に、受信装置から被監視者監視装置へ受信装置における現在の通信環境を示す現在通信環境情報を通知する。そして、被監視者監視装置は、この受信装置から受信した現在通信環境情報に示される前記受信装置における現在の通信環境に対応する画像データの容量で監視対象の画像の動画データを前記受信装置へ送信する。したがって、上記被監視者監視装置は、被監視者監視装置から受信装置の通信環境を問い合わせることなく、通信環境の把握のために、受信装置から被監視者監視装置への片道の通信で済み、また、受信装置の通信環境に所定の変化があった場合に、受信装置から被監視者監視装置へ現在通信環境情報が通知されるので、定期的に通信トラフィックが発生することも無い。このため、上記被監視者監視装置は、より少ない通信トラフィック量で通信環境を把握でき、この通信環境に応じた適切なデータ量で動画データを被監視者監視装置から受信装置へ転送できる。また、使用対応情報受付工程をさらに備え、前記使用対応情報受付工程で受け付けた対応情報を用いるので、ユーザ（オペレータ）は、監視目的に応じてフレームレート優先の対応情報を用いるか前記画像サイズ優先の対応情報を用いるかを選択でき、前記監視目的を達成し易くなる。
【００１７】
さらに、本発明の他の一態様にかかる被監視者監視システムは、受信装置および被監視者監視装置を備える被監視者監視システムであって、前記受信装置は、通信を行う受信側通信部と、通信環境を検出する通信環境検出部と、前記通信環境検出部で検出した通信環境に所定の変化を生じたか否かを判定する通信環境判定処理部と、前記通信環境判定処理部で前記通信環境に前記所定の変化を生じたと判定した場合に、前記通信環境検出部で検出した通信環境を現在の通信環境として該現在の通信環境を示す現在通信環境情報を前記被監視者監視装置へ送信する通信環境通知処理部とを備え、前記被監視者監視装置は、監視対象を撮像し、前記監視対象の画像の動画データを生成する撮像部と、通信を行う監視側通信部と、通信環境と画像データの容量との対応関係を示す対応情報として、フレームレートが一定であって通信環境と画像サイズとの対応関係を示すフレームレート優先の対応情報と、画像サイズが一定であって通信環境とフレームレートとの対応関係を示す画像サイズ優先の対応情報と、を記憶する対応情報記憶部と、前記受信装置から送信された前記現在通信環境情報を前記監視側通信部を介して受信して前記現在通信環境情報に示される前記現在の通信環境に対応する画像データの容量を前記対応情報記憶部に記憶された前記対応情報から取得し、前記撮像部で生成した前記監視対象の画像の動画データを前記取得した画像データの容量で前記監視側通信部を介して前記受信装置へ送信する送信制御部と、前記現在通信環境情報に示される前記現在の通信環境に対応する画像データの容量を取得する際に、前記フレームレート優先の対応情報を用いるか前記画像サイズ優先の対応情報を用いるかの選択を受け付ける使用対応情報受付部とを備え、前記送信制御部は、前記現在通信環境情報に示される前記現在の通信環境に対応する画像データの容量を取得する際に、前記使用対応情報受付部で受け付けた対応情報を用いることを特徴とする。
【００１８】
このような被監視者監視システムは、より少ない通信トラフィック量で通信環境を把握でき、この通信環境に応じた適切なデータ量で動画データを被監視者監視装置から受信装置へ転送できる。また、対応情報にフレームレート優先の対応情報を含むので、このフレームレート優先の対応情報を用いることで、受信装置における現在の通信環境下で最もフレームレートの高い動画を受信装置で参照でき、監視対象の動作を、受信装置における現在の通信環境下で最も的確に把握できる。また、対応情報に画像サイズ優先の対応情報を含むので、この画像サイズ優先の対応情報を用いることで、受信装置における現在の通信環境下で最も大きい画像、すなわち、最も解像度の高い画像を受信装置で参照でき、監視対象の様子を、受信装置における現在の通信環境下で最も的確に把握できる。また、使用対応情報受付部をさらに備え、前記送信制御部が前記使用対応情報受付部で受け付けた対応情報を用いるので、ユーザ（オペレータ）は、監視目的に応じてフレームレート優先の対応情報を用いるか前記画像サイズ優先の対応情報を用いるかを選択でき、前記監視目的を達成し易くなる。
【発明の効果】
【００１９】
本発明にかかる被監視者監視システムは、より少ない通信トラフィック量で通信環境を把握でき、この通信環境に応じた適切なデータ量で画像データを被監視者監視装置から受信装置へ転送できる。
【図面の簡単な説明】
【００２０】
【図１】第１実施形態における被監視者監視システムの構成を示す図である。
【図２】第１実施形態の被監視者監視システムにおける被監視者監視装置の対応情報記憶部に記憶される第１態様の対応情報を示す図である。
【図３】第１実施形態の被監視者監視システムにおける被監視者監視装置の対応情報記憶部に記憶される第２態様の対応情報を示す図である。
【図４】第１実施形態の被監視者監視システムにおける被監視者監視装置の動作を示すフローチャートである。
【図５】第１実施形態の被監視者監視システムにおける受信装置の動作を示すフローチャートである。
【図６】第２実施形態における被監視者監視システムの構成を示す図である。
【図７】第３実施形態における被監視者監視システムの構成を示す図である。
【発明を実施するための形態】
【００２１】
以下、本発明にかかる実施の一形態を図面に基づいて説明する。なお、各図において同一の符号を付した構成は、同一の構成であることを示し、適宜、その説明を省略する。また、本明細書において、総称する場合には添え字を省略した参照符号で示し、個別の構成を指す場合には添え字を付した参照符号で示す。
【００２２】
（第１実施形態）
図１は、第１実施形態における被監視者監視システムの構成を示す図である。図２は、第１実施形態の被監視者監視システムにおける被監視者監視装置の対応情報記憶部に記憶される第１態様の対応情報を示す図である。図３は、第１実施形態の被監視者監視システムにおける被監視者監視装置の対応情報記憶部に記憶される第２態様の対応情報を示す図である。
【００２３】
第１実施形態における被監視者監視システムＭＳａは、監視対象（見守り対象）である被監視者（見守り対象者）を監視するものであり、例えば、図１に示すように、被監視者監視装置Ｔａと、受信装置Ｒとを備える。そして、図１に示す例では、被監視者監視システムＭＳａは、通信回線（伝送路）ＣＬをさらに備え、通信回線ＣＬによって被監視者監視装置Ｔａと受信装置Ｒとは、互いに通信可能に接続される。被監視者監視システムＭＳａは、被監視者に応じて適宜な場所に配設される。被監視者（見守り対象者）は、例えば、病気や怪我等によって看護を必要とする者や、身体能力の低下等によって介護を必要とする者や、一人暮らしの独居者等である。特に、早期発見と早期対処とを可能にする観点から、被監視者は、例えば異常状態等の所定の不都合な事象がその者に生じた場合にその発見を必要としている者であることが好ましい。このため、被監視者監視システムＭＳａは、被監視者の種類に応じて、病院、老人福祉施設および住戸等の建物に好適に配設される。なお、被監視者監視システムＭＳａは、病院や老人福祉施設等の、１個の建物に集中的に配設されてもよく、また、複数の住戸および監視センター等の、複数の建物に分散的に配設されてもよい。例えば、被監視者監視装置Ｔａは、１フロアにおける各病室また各ベッドに配設され、受信装置Ｒは、例えば看護師や介護士等に携帯される。また例えば、被監視者監視装置Ｔａは、各住戸に配設され、受信装置Ｒは、監視センターの監視者に携帯される。受信装置Ｒは、図１には、１個だけ示されているが、複数であって良い。通信回線ＣＬは、公衆回線、無線回線およびＬＡＮ（Ｌｏｃａｌ  Ａｒｅａ  Ｎｅｔｗｏｒｋ）の回線等であり、通信ネットワークが構成されて良い。
【００２４】
まず、被監視者監視装置Ｔａの構成について説明する。被監視者監視装置Ｔａは、監視対象を撮像し、通信回線ＣＬを介して受信装置Ｒへ監視対象の画像の画像データを転送する装置である。本実施形態では、被監視者監視装置Ｔａは、さらに、監視対象の音を拾い、通信回線ＣＬを介して受信装置Ｒへ監視対象の音の音データを転送する。このような被監視者監視装置Ｔａは、第１実施形態では、例えば、図１に示すように、撮像部１１と、音入力部１２と、音出力部１３と、制御処理部１４ａと、通信部１５と、記憶部１６ａとを備える。
【００２５】
撮像部１１は、制御処理部１４ａに接続され、制御処理部１４ａの制御に従って監視対象を撮像し、監視対象の画像を表すデータである画像データを生成する装置である。撮像部１１は、この生成した監視対象の画像の画像データを制御処理部１４ａへ出力する。撮像部１１は、例えば、いわゆるウェブカメラ（Ｗｅｂ  カメラ）等のデジタルカメラを備えて構成される。撮像部１１は、監視対象に含まれる被監視者が通常所在する空間を撮像できる適宜な方向に撮像方向を一致させて配設される。
【００２６】
音入力部１２は、制御処理部１４ａに接続され、監視対象の音を取得して被監視者監視装置Ｔａに入力するための装置であり、例えば、音の音響振動を電気信号に変換するマイクロホン等を備えて構成される。音入力部１２は、監視対象の音を表す電気信号を制御処理部１４ａへ出力する。
【００２７】
音出力部１３は、制御処理部１４ａに接続され、制御処理部１４ａの制御に従って音を表す電気信号に応じた音を生成して出力するための装置であり、例えば、音の電気信号を音の音響振動に変換するスピーカ等を備えて構成される。
【００２８】
通信部１５は、制御処理部１４ａに接続され、制御処理部１４ａの制御に従って通信を行うための通信装置である。通信部１５は、制御処理部１４ａから入力された転送すべきデータを収容した通信信号を、通信回線（通信ネットワーク）ＣＬで用いられる通信プロトコルに従って生成し、この生成した通信信号を通信回線（通信ネットワーク）ＣＬを介して受信装置Ｒへ送信する。通信部１５は、通信回線（通信ネットワーク）ＣＬを介して受信装置Ｒから通信信号を受信し、この受信した通信信号からデータを取り出し、この取り出したデータを制御処理部１４ａが処理可能な形式のデータに変換して制御処理部１４ａへ出力する。
【００２９】
通信部１５は、例えば、無線によって通信回線（通信ネットワーク）ＣＬに接続される無線通信装置であって良い。また例えば、通信部１５は、有線によって通信回線（通信ネットワーク）ＣＬに接続される有線通信装置であって良い。また例えば、通信部１５は、無線や有線のＬＡＮカード等のネットワークカードであって良く、ネットワークカードが通信可能に接続するネットワーク（例えばＬＡＮ等）に設けられた無線通信装置や有線通信装置によって通信回線（通信ネットワーク）ＣＬに接続されてもよい。なお、この場合において、ネットワークカードの通信部１５と前記無線通信装置（または前記有線通信装置）との間に、例えばリピータ、ブリッジおよびルータ等の中継装置（ハブ（Ｈｕｂ））があっても良い。
【００３０】
記憶部１６ａは、制御処理部１４ａに接続され、制御処理部１４ａの制御に従って、各種の所定のプログラムおよび各種の所定のデータを記憶する回路である。前記各種の所定のプログラムには、例えば、監視対象の画像の画像データおよび監視対象の音の音データを受信装置Ｒの通信環境に応じたデータ容量で受信装置Ｒへ送信する転送プログラム等の制御処理プログラムが含まれる。記憶部１６ａは、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、記憶部１６ａは、前記所定のプログラムの実行中に生じるデータ等を記憶するいわゆる制御処理部１４ａのワーキングメモリとなるＲＡＭ（Ｒａｎｄｏｍ  Ａｃｃｅｓｓ  Ｍｅｍｏｒｙ）等を含む。なお、記憶部１６ａは、比較的大容量のハードディスクを備えても良い。記憶部１６ａは、受信装置Ｒから受信した受信装置Ｒにおける現在（最新）の通信環境を記憶する。通信環境は、通信速度および通信のつながりやすさであり、本実施形態では受信感度［ｄＢｍ］によって表される。なお、本実施形態では通信環境は、受信感度で表されたが、これに限定されるものではなく、例えば、通信環境は、ビット誤り率等の誤り率で表されても良い。なお、受信装置Ｒが複数である場合には、記憶部１６ａは、各受信装置Ｒからそれぞれ受信した各受信装置Ｒにおける現在（最新）の各通信環境を、その受信装置と対応付けて記憶する。そして、記憶部１６ａは、機能的に、対応情報を記憶する対応情報記憶部１６１を備える。
【００３１】
対応情報は、通信環境と画像データの容量との対応関係を示す情報である。本実施形態では、対応情報は、フレームレート優先の対応情報および画像サイズ優先の対応情報を含む。監視対象の画像は、静止画であっても良いが、本実施形態では、動画である。
【００３２】
フレームレート優先の対応情報は、１秒当たりのフレーム数を表すフレームレートが一定であって通信環境と画像サイズとの対応関係を示す情報である。フレームレート優先の対応情報は、例えば、図２に示すように、テーブル形式で対応情報記憶部１６１に予め記憶される。フレームレート優先の対応情報を登録するための図２に示す一例のフレームレート優先の対応情報テーブルＴＢ１は、受信感度を登録する受信感度フィールド３１と、動画の画像サイズ（横の画素数と縦の画素数）およびフレームレートを登録する映像フィールド３２と、音データのサイズを登録する音声フィールド３３とを備え、受信感度ごとにレコードを備える。各レコードは、当該レコードの受信感度フィールド３１に登録されている受信感度（当該範囲の下限値）以上であって、受信装置Ｒの受信感度が次に受信感度の良い場合に用いられるレコードの受信感度フィールド３１に登録されている受信感度（次範囲の下限値）未満である範囲に、受信装置Ｒの受信感度がある場合に用いられる。例えば、受信感度フィールド３１に「−７５ｄＢｍ」が登録されたレコードには、映像フィールド３２に「１０２４×７２０／３０ｆｐｓ」が登録され、音声フィールド３３には、「８ｋＨｚ  Ｓａｍｐｌｉｎｇ」が登録されている。このレコードは、受信装置Ｒの受信感度が−７５ｄＢｍ以上である場合に用いられる。また例えば、受信感度フィールド３１に「−９０ｄＢｍ」が登録されたレコードには、映像フィールド３２に「３２０×２４０／３０ｆｐｓ」が登録され、音声フィールド３３には、「１ｋＨｚ  Ｓａｍｐｌｉｎｇ」が登録されている。このレコードは、受信装置Ｒの受信感度が−９０ｄＢｍ以上であって−８５ｄＢｍ未満の範囲にある場合に用いられる。なお、フレームレート優先の対応情報は、フレームレートが一定であるので、このフレームレート（図２に示す例では３０ｆｐｓ）は、フレームレート優先の対応情報テーブルＴＢ１とは別に対応情報記憶部１６１に記憶され、映像フィールド３２には、動画の画像サイズのみが登録されても良い。
【００３３】
画像サイズ優先の対応情報は、画像サイズが一定であって通信環境とフレームレートとの対応関係を示す情報である。画像サイズ優先の対応情報は、フレームレート優先の対応情報と同様に、例えば、テーブル形式で対応情報記憶部１６１に予め記憶される。
【００３４】
また、対応情報は、フレームレート優先の対応情報と画像サイズ優先の対応情報とを混在して含んでも良い。このようなフレームレート優先の対応情報と画像サイズ優先の対応情報とを混在して含む対応情報の一例がテーブル形式で図３に示されている。この図３に示す対応情報テーブルＢＴ２は、受信感度を登録する受信感度フィールド４１と、動画の画像サイズおよびフレームレートを登録する映像フィールド４２と、音データのサイズを登録する音声フィールド４３とを備え、受信感度ごとにレコードを備える。各レコードは、当該レコードの受信感度フィールド４１に登録されている受信感度（当該範囲の下限値）以上であって、受信装置Ｒの受信感度が次に受信感度の良い場合に用いられるレコードの受信感度フィールド４１に登録されている受信感度（次範囲の下限値）未満である範囲に、受信装置Ｒの受信感度がある場合に用いられる。受信感度フィールド４１に「−７５ｄＢｍ」が登録されたレコードには、映像フィールド４２に「１０２４×７２０／３０ｆｐｓ」が登録され、音声フィールド４３には、「８ｋＨｚ  Ｓａｍｐｌｉｎｇ」が登録されている。このレコードは、受信装置Ｒの受信感度が−７５ｄＢｍ以上である場合に用いられる。受信感度フィールド４１に「−８０ｄＢｍ」が登録されたレコードには、映像フィールド４２に「１０２４×７２０／１５ｆｐｓ」が登録され、音声フィールド４３には、「８ｋＨｚ  Ｓａｍｐｌｉｎｇ」が登録されている。このレコードは、受信装置Ｒの受信感度が−８０ｄＢｍ以上であって−７５ｄＢｍ未満の範囲にある場合に用いられる。受信感度フィールド４１に「−８５ｄＢｍ」が登録されたレコードには、映像フィールド４２に「８００×６００／１５ｆｐｓ」が登録され、音声フィールド４３には、「８ｋＨｚ  Ｓａｍｐｌｉｎｇ」が登録されている。このレコードは、受信装置Ｒの受信感度が−８５ｄＢｍ以上であって−８０ｄＢｍ未満の範囲にある場合に用いられる。受信感度フィールド４１に「−９０ｄＢｍ」が登録されたレコードには、映像フィールド４２に「６４０×４８０／１５ｆｐｓ」が登録され、音声フィールド４３には、「１ｋＨｚ  Ｓａｍｐｌｉｎｇ」が登録されている。このレコードは、受信装置Ｒの受信感度が−９０ｄＢｍ以上であって−８５ｄＢｍ未満の範囲にある場合に用いられる。このように対応情報テーブルＢＴ２は、受信感度の低下に従って、始めに画像サイズ優先の対応情報を持ち、その後、フレームレート優先の対応情報を持つ。なお、対応情報は、受信感度の低下に従って、始めにフレームレート優先の対応情報を持ち、その後、画像サイズ優先の対応情報を持っても良い。監視目的に応じて上記いずれかの混在の態様が用いられる。
【００３５】
制御処理部１４ａは、被監視者監視装置Ｔａの各部を当該各部の機能に応じてそれぞれ制御し、被監視者を監視するための回路である。制御処理部１４ａは、例えば、ＣＰＵ（Ｃｅｎｔｒａｌ  Ｐｒｏｃｅｓｓｉｎｇ  Ｕｎｉｔ）およびその周辺回路を備えて構成される。制御処理部１４ａには、制御処理プログラムが実行されることによって、撮像制御部１４１、音入力制御部１４２、音出力制御部１４３、画像データ変更処理部１４４ａ、音データ変更処理部１４５ａおよび通信制御部１４６が機能的に構成される。
【００３６】
撮像制御部１４１は、撮像部１１を制御し、撮像部１１に監視対象の画像の画像データを生成させ、監視対象の画像データを取得するものである。音入力制御部１４２は、音入力部１２から出力された音の電気信号を所定のサンプリング周波数でサンプリングし、このサンプリングしたアナログデータをディジタルデータに変換して音データを生成するものである。音出力制御部１４３は、音データを音の電気信号に変換し、この音の電気信号を音出力部１３へ出力するものである。通信制御部１４６は、通信部１５を制御し、通信部１５に通信回線（通信ネットワーク）ＣＬを介して受信装置Ｒとの間で通信を行わせるものである。
【００３７】
画像データ変換処理部１４４ａは、受信装置Ｒの通信環境（本実施形態では受信感度）に所定の変化を生じたと受信装置Ｒが判定した場合に受信装置Ｒから送信された現在の通信環境を示す現在通信環境情報を通信部１５を介して受信して現在通信環境情報に示される前記現在の通信環境に対応する画像データの容量を対応情報記憶部１６１に記憶された対応情報から取得し、撮像部１１で生成した監視対象の画像の画像データを、この取得した画像データの容量で通信部１５を介して受信装置Ｒへ送信するものである。
【００３８】
このような画像データ変換処理部１４４ａは、撮像部１１で生成した監視対象の画像の画像データを、通信部１５を介して受信装置Ｒへ送信する送信制御部の一例に対応する。
【００３９】
音データ変換処理部１４５ａは、前記現在通信環境情報に示される前記現在の通信環境に対応する音データの容量を対応情報記憶部１６１に記憶された対応情報から取得し、音入力部１２および音入力制御部１４２で生成した監視対象の音の音データを、この取得した音データの容量で通信部１５を介して受信装置Ｒへ送信するものである。
【００４０】
なお、対応情報記憶部１６１に複数の対応情報が記憶されている場合には、前記複数の対応情報の中から、画像データ変換処理部１４４ａおよび音データ変更処理部１４５ａで用いられる対応情報として選択された対応情報を受け付ける使用対応情報受付部（例えば入力スイッチ等）が被監視者監視装置Ｔａに設けられても良い。より具体的には、対応情報記憶部１６１にフレームレート優先の対応情報と画像サイズ優先の対応情報とが記憶されている場合において、この使用対応情報受付部は、前記現在通信環境情報に示される前記現在の通信環境に対応する画像データの容量を画像データ変換処理部１４４ａおよび音データ変更処理部１４５ａが取得する際に、前記フレームレート優先の対応情報を用いるか前記画像サイズ優先の対応情報を用いるかの選択を受け付けるものである。そして、画像データ変換処理部１４４ａおよび音データ変更処理部１４５ａは、前記現在通信環境情報に示される前記現在の通信環境に対応する画像データの容量を取得する際に、前記使用対応情報受付部で受け付けた対応情報を用いる。これによって、ユーザ（オペレータ）は、監視目的に応じてフレームレート優先の対応情報を用いるか前記画像サイズ優先の対応情報を用いるかを選択でき、前記監視目的を達成し易くなる。
【００４１】
次に、受信装置Ｒの構成について説明する。受信装置Ｒは、監視対象における画像の画像データおよび音の音データを被監視者監視装置Ｔａから通信回線ＣＬを介して受信し、前記画像データの画像を表示し、そして、前記音データの音を出力する装置である。受信装置Ｒは、いつでも、どこでも、というユビキタスを実現する観点から、携帯可能であることが好ましい。このような受信装置Ｒは、例えば、図１に示すように、表示部２１と、音出力部２２と、制御処理部２３と、通信部２４と、通信環境検出部２５と、記憶部２６とを備える。
【００４２】
表示部２１は、制御処理部２３に接続され、制御処理部２３の制御に従って、画像を表示するための装置であり、例えばＣＲＴディスプレイ、ＬＣＤ（液晶ディスプレイ）および有機ＥＬディスプレイ等を備えて構成される。
【００４３】
音出力部２２は、音出力部１３と同様に、制御処理部２３に接続され、制御処理部２３の制御に従って音を表す電気信号に応じた音を生成して出力するための装置であり、例えば、音の電気信号を音の音響振動に変換するスピーカ等を備えて構成される。
【００４４】
通信部２４は、通信部１５と同様に、制御処理部２３に接続され、制御処理部２３の制御に従って通信を行うための通信装置である。通信部２４は、制御処理部２３から入力された転送すべきデータを収容した通信信号を、通信回線（通信ネットワーク）ＣＬで用いられる通信プロトコルに従って生成し、この生成した通信信号を通信回線（通信ネットワーク）ＣＬを介して被監視者監視装置Ｔａへ送信する。通信部２４は、通信回線（通信ネットワーク）ＣＬを介して被監視者監視装置Ｔａから通信信号を受信し、この受信した通信信号からデータを取り出し、この取り出したデータを制御処理部２３が処理可能な形式のデータに変換して制御処理部２３へ出力する。
【００４５】
通信環境検出部２５は、制御処理部２３および通信部２４に接続され、制御処理部２３の制御に従って、通信部２４で受信される通信信号に基づいて当該受信装置Ｒにおける現在の通信環境を検出する装置である。通信環境検出部２５は、この検出した当該受信装置Ｒにおける現在の通信環境を制御処理部２３へ出力する。本実施形態では、通信環境検出部２５は、通信部２４で通信信号を受信する際の受信感度［ｄＢｍ］を検出し、この検出した受信感度を当該受信装置Ｒにおける現在の通信環境として制御処理部２３へ出力する。すなわち、通信環境検出部２５は、通信部２４で通信信号を受信する際の受信電力を検出し、受信電力が１ｍＷである場合を０［ｄＢｍ］として、この検出した受信電力から受信感度を求め、この求めた受信感度を制御処理部２３へ出力する。当該受信装置Ｒにおける現在の通信環境を検出するために用いられる通信信号は、例えば、被監視者監視装置Ｔａ、あるいは、通信回線ＣＬとしての通信ネットワークにおける基地局等から送信される制御信号が流用される。前記制御信号には、例えば、受信装置Ｒの生存を確認するための信号や、受信装置Ｒの位置の登録を要求するための信号等がある。
【００４６】
記憶部２６は、制御処理部２３に接続され、制御処理部２３の制御に従って、各種の所定のプログラムおよび各種の所定のデータを記憶する回路である。前記各種の所定のプログラムには、例えば、監視対象における画像の画像データおよび音の音データを被監視者監視装置Ｔａから通信回線ＣＬを介して受信し、前記画像データの画像を表示部２１に表示し、そして、前記音データの音を音出力部２２から出力する監視情報提示プログラムや、当該受信装置Ｒの通信環境（本実施形態では受信感度）に所定の変化を生じたか否かを判定し、当該受信装置Ｒの通信環境に所定の変化を生じたと判定した場合に現在の通信環境を示す現在通信環境情報を通信部２４を介して被監視者監視装置Ｔａへ送信する通信環境通知プログラム等の制御処理プログラムが含まれる。記憶部２６は、例えば不揮発性の記憶素子であるＲＯＭや書き換え可能な不揮発性の記憶素子であるＥＥＰＲＯＭ等を備える。そして、記憶部２６は、前記所定のプログラムの実行中に生じるデータ等を記憶するいわゆる制御処理部２３のワーキングメモリとなるＲＡＭ等を含む。
【００４７】
制御処理部２３は、受信装置Ｒの各部を当該各部の機能に応じてそれぞれ制御するための回路である。制御処理部２３は、例えば、ＣＰＵおよびその周辺回路を備えて構成される。制御処理部２３には、制御処理プログラムが実行されることによって、表示制御部２３１、音出力制御部２３２、通信制御部２３３、通信環境判定処理部２３４および通信環境通知処理部２３５が機能的に構成される。
【００４８】
表示制御部２３１は、表示部２１を制御し、表示部２１に監視対象の画像を含む所定のデータを表示させるものである。音出力制御部２３２は、音出力部制御部１４３と同様に、音データを音の電気信号に変換し、この音の電気信号を音出力部２２へ出力するものである。通信制御部２３３は、通信部２４を制御し、通信部２４に通信回線（通信ネットワーク）ＣＬを介して被監視者監視装置Ｔａとの間で通信を行わせるものである。
【００４９】
通信環境判定処理部２３４は、通信環境検出部２５から入力された当該受信装置Ｒの通信環境に基づいて当該受信装置Ｒの通信環境に所定の変化が生じたか否かを判定し、当該受信装置Ｒの通信環境に所定の変化が生じたと判定した場合に、その旨および当該受信装置Ｒの通信環境を通信環境通知処理部２３５へ通知するものである。より具体的には、通信環境は、複数の範囲に区分けされており、通信環境判定処理部２３４は、通信環境検出部２５から入力された当該受信装置Ｒの通信環境が前記複数の範囲のうちのいずれの範囲に属するかを判定し、この判定した範囲が現在の範囲（前回の判定結果による範囲）と異なる範囲になった場合に、当該受信装置Ｒの通信環境に所定の変化が生じたと判定し、その旨および当該受信装置Ｒの通信環境（判定結果による範囲でも良い）を通信環境通知処理部２３５へ通知するものである。より詳しくは、例えば、受信感度が、−７５ｄＢｍ以上の第１範囲、−７５ｄＢｍ未満であって−８０ｄＢｍ以上の第２範囲、−８０ｄＢｍ未満であって−８５ｄＢｍ以上の第３範囲および−８５ｄＢｍ未満であって−９０ｄＢｍ以上の第４範囲の４つの範囲に区分けされ、通信環境判定処理部２３４は、通信環境検出部２５から入力された当該受信装置Ｒの受信感度がこれら４つの第１ないし第４範囲のうちのいずれの範囲に属するかを判定し、この判定した範囲が現在の範囲と異なる範囲になった場合に、当該受信装置Ｒの受信感度に所定の変化が生じたと判定し、その旨および当該受信装置Ｒの受信感度を通信環境通知処理部２３５へ通知するものである。
【００５０】
通信環境通知処理部２３５は、当該受信装置Ｒの通信環境に所定の変化を生じた旨および当該受信装置Ｒの通信環境が通信環境判定処理部２３４から通知された場合に、当該受信装置Ｒにおける現在の通信環境を示す現在通信環境情報を収容した通信信号を通信部２４に生成させ、この現在通信環境情報を収容した通信信号を通信回線（通信ネットワーク）ＣＬを介して被監視者監視装置Ｔａへ通信部２４に送信させるものである。
【００５１】
次に、第１実施形態における被監視者監視システムの動作について説明する。図４は、第１実施形態の被監視者監視システムにおける被監視者監視装置の動作を示すフローチャートである。図５は、第１実施形態の被監視者監視システムにおける受信装置の動作を示すフローチャートである。
【００５２】
まず、受信装置Ｒの通信環境を検出する受信装置Ｒの動作について説明する。図５において、前記制御信号等の通信信号を通信部２４によって受信すると、通信環境検出部２５は、通信環境として受信感度を検出し、この受信した受信感度を制御処理部２３へ出力する（Ｓ２１）。
【００５３】
次に、制御処理部２３の通信環境判定処理部２３４は、通信環境検出部２５から入力された当該受信装置Ｒの受信感度に基づいて当該受信装置Ｒの受信感度に所定の変化が生じたか否かを判定する（Ｓ２２）。この判定の結果、当該受信装置Ｒの受信感度に所定の変化が生じたと判定した場合（変化有り）、通信環境判定部２３４は、当該受信装置Ｒの受信感度に所定の変化を生じた旨および当該受信装置Ｒの受信感度を通信環境通知処理部２３４へ通知し、処理Ｓ２３が実行される。一方、前記判定の結果、当該受信装置Ｒの受信感度に所定の変化が生じたと判定されない場合（変化無し）、処理が終了される。より具体的には、本実施形態では、通信環境判定処理部２３４は、通信環境検出部２５から入力された当該受信装置Ｒの受信感度が前記４つの第１ないし第４範囲のうちのいずれの範囲に属するかを判定する。判定の結果、この判定した範囲が現在の範囲（前回の判定結果による範囲）と異なる範囲になった場合に、当該受信装置Ｒの受信感度に所定の変化が生じたと判定し、通信環境判定処理部２３４は、当該受信装置Ｒの受信感度に所定の変化を生じた旨および当該受信装置Ｒの受信感度を通信環境通知処理部２３５へ通知し、処理Ｓ２３が実行される。一方、前記判定の結果、前記判定した範囲が現在の範囲（前回の判定結果による範囲）と同じ範囲であった場合に、当該受信装置Ｒの受信感度に所定の変化が生じたと判定されず、処理が終了される。
【００５４】
処理Ｓ２３では、制御処理部２３の通信環境通知処理部２３５は、当該受信装置Ｒの受信感度に所定の変化を生じた旨および当該受信装置Ｒの受信感度が通信環境判定処理部２３４から通知された場合に、当該受信装置Ｒにおける現在の受信感度を示す現在通信環境情報を収容した通信信号を通信部２４に生成させ、この現在通信環境情報を収容した通信信号を通信回線（通信ネットワーク）ＣＬを介して被監視者監視装置Ｔａへ通信部２４に送信させ、処理を終了する。
【００５５】
このように受信装置Ｒは、当該受信装置Ｒの通信環境に所定の変化を生じたと判定した場合に、当該受信装置Ｒにおける現在の通信環境を示す現在通信環境情報を、通信部２４を介して被監視者監視装置Ｔａへ送信する。被監視者監視装置Ｔａは、現在通信環境情報を収容した通信信号を受信すると、前記現在通信環境情報に示される受信装置Ｒにおける現在の通信環境を前記受信装置Ｒと対応付けて記憶部１６ａに記憶する。これによって被監視者監視装置Ｔａは、特許文献１のように検出用のデータを受信装置Ｒへ送信することなく、当該受信装置Ｒにおける現在の通信環境を取得できる。
【００５６】
次に、監視対象の画像および音を受信装置Ｒへ送信する被監視者監視装置Ｔａの動作について説明する。図４において、監視対象の画像および音を受信装置Ｒへ送信する場合に、まず、制御処理部１４ａの画像データ変更処理部１４４ａおよび音データ変更処理部１４５ａは、送信先の受信装置Ｒにおける現在の通信環境（本実施形態では受信感度）を記憶部１６ａから取り出す（Ｓ１１）。なお、ここでは、監視対象の画像の画像データは、最大の画像サイズであって最高のフレームレートで撮像部１１および撮像制御部１４１によって生成されているものとし、監視対象の画像の音データは、最高のサンプリング周波数で音入力部１２および音入力制御部１４２によって生成されているものとする。例えば、図２および図３に示す対応情報が用いられる場合には、１０２４×７２０の画像サイズであって３０ｆｐｓのフレームレートで動画の画像データが生成され、８ｋＨｚのサンプリング周波数で音データが生成される。
【００５７】
次に、送信先の受信装置Ｒにおける現在の通信環境に応じたデータ容量が対応情報記憶部１６１に記憶された対応情報から検索され、取得される（Ｓ１２）。より具体的には、画像データ変更処理部１４４ａは、処理Ｓ１１で取得した送信先の受信装置Ｒにおける現在の受信感度に対応する画像データのデータ容量を、対応情報記憶部１６１に記憶された対応情報から検索し、取得する。例えば、送信先の受信装置Ｒにおける現在の通信環境が受信感度−８２［ｄＢｍ］であり、図２に示すフレームレート優先の対応情報が用いられる場合、画像データ変更処理部１４４ａは、受信感度−８２［ｄＢｍ］に対応するレコードを受信感度フィールド３１を参照することによって検索し（この例では受信感度フィールド３１に−８０ｄＢｍを登録したレコード）、この検索したレコードの映像フィールド３２に登録されているデータを画像データのデータ容量として取得する（この例では映像フィールド３２に登録されている８００×６００／３０ｆｐｓが取得される）。またこの例で、図３に示す対応情報が用いられる場合、画像データ変更処理部１４４ａは、受信感度−８２［ｄＢｍ］に対応する、受信感度フィールド３１に−８０ｄＢｍを登録したレコードを検索し、この検索したレコードの映像フィールド３２に登録されている１０２４×７２０／１５ｆｐｓを画像データのデータ容量として取得する。そして、音データ変更処理部１４５ａは、処理Ｓ１１で取得した送信先の受信装置Ｒにおける現在の受信感度に対応する音データのデータ容量を、対応情報記憶部１６１に記憶された対応情報から検索し、取得する。例えば、送信先の受信装置Ｒにおける現在の通信環境が受信感度−８２［ｄＢｍ］であり、図２に示すフレームレート優先の対応情報が用いられる場合、音データ変更処理部１４５ａは、受信感度−８２［ｄＢｍ］に対応する、受信感度フィールド３１に−８０ｄＢｍを登録したレコードを検索し、この検索したレコードの音声フィールド３３に登録されている８ｋＨｚを音データのデータ容量として取得する。またこの例で、図３に示す対応情報が用いられる場合、音データ変更処理部１４５ａは、受信感度−８２［ｄＢｍ］に対応する、受信感度フィールド３１に−８０ｄＢｍを登録したレコードを検索し、この検索したレコードの音声フィールド３３に登録されている８ｋＨｚを音データのデータ容量として取得する。
【００５８】
次に、送信先の受信装置Ｒにおける現在の通信環境に応じたデータ容量に、監視対象の画像の画像データおよび音の音データが変更される（Ｓ１３）。より具体的には、画像データ変更処理部１４４ａは、受信装置Ｒへ送信する画像データを、そのデータ容量が処理Ｓ１２で取得したデータ容量に合うように、変更する。画像サイズの変更は、例えば画素を間引く等の公知の常套手段によって実行される。これによって例えば１０２４×７２０／３０ｆｐｓの動画の画像データが８００×６００／３０ｆｐｓの動画の画像データに変更される。フレームレートの変更は、例えばフレームを間引く等の公知の常套手段によって実行される。これによって例えば１０２４×７２０／３０ｆｐｓの動画の画像データが１０２４×７２０／１５ｆｐｓの動画の画像データに変更される。そして、音データ変更処理部１４５ａは、受信装置Ｒへ送信する音データを、そのデータ容量が処理Ｓ１２で取得したデータ容量に合うように、変更する。例えば音データにおける時系列に並ぶ各データから所定のデータを間引く等の公知の常套手段によって音データのデータ容量が変更される。これによって例えばサンプリング周波数８ｋＨｚの音の音データがサンプリング周波数１ｋＨの音の音データに変更される。
【００５９】
そして、通信制御部１４６は、処理Ｓ１３で送信先の受信装置Ｒにおける現在の通信環境に応じたデータ容量に合わせた画像データおよび音データを収容した通信信号を通信部２４に生成させ、この生成した通信信号を受信装置Ｒへ通信部１５に送信させ（Ｓ１４）、処理を終了する。
【００６０】
このように被監視者監視装置Ｔａは、監視対象の画像および音を、送信先の受信装置Ｒにおける現在の通信環境に応じたデータ容量で送信する。受信装置Ｒは、監視対象における画像の画像データおよび音の音データを収容した通信信号を受信すると、監視対象の画像を表示部２１に表示し、監視対象の音を音出力部２２に出力する。これによって受信装置Ｒを持つユーザは、監視対象の画像を見ることができ、監視対象の音を聞くことができる。
【００６１】
なお、上述では、画像データの変更および音データの変更は、変更前の元の画像データおよび音データにおける各データ容量を減少させたが、例えば補間処理等の常套手段を用いて前記各データ容量を増加させても良い。
【００６２】
以上、説明したように、本実施形態における被監視者監視システムＭＳａ、ならびに、被監視者監視装置Ｔａおよびこれに実装された被監視者監視方法では、受信装置Ｒは、その通信環境に所定の変化があるか否かを判定し、その判定の結果、前記通信環境に所定の変化が生じたと判定した場合に、受信装置Ｒから被監視者監視装置Ｔａへ受信装置Ｒにおける現在の通信環境を示す現在通信環境情報を通知する。そして、被監視者監視装置Ｔａは、この受信装置Ｒから受信した現在通信環境情報に示される前記受信装置Ｒにおける現在の通信環境に対応する画像データのデータ容量および音データのデータ容量で監視対象における画像の画像データおよび音の音データを前記受信装置Ｒへ送信する。したがって、本実施形態における被監視者監視システムＭＳａ、ならびに、被監視者監視装置Ｔａおよびこれに実装された被監視者監視方法は、被監視者監視装置Ｔａから受信装置Ｒの通信環境を問い合わせることなく、通信環境の把握のために、受信装置Ｒから被監視者監視装置Ｔａへの片道の通信で済み、また、受信装置Ｒの通信環境に所定の変化があった場合に、受信装置Ｒから被監視者監視装置Ｔａへ現在通信環境情報が通知されるので、定期的に通信トラフィックが発生することも無い。このため、本実施形態における被監視者監視システムＭＳａ、ならびに、被監視者監視装置Ｔａおよびこれに実装された被監視者監視方法は、より少ない通信トラフィック量で通信環境を把握でき、この通信環境に応じた適切なデータ容量で画像データを被監視者監視装置Ｔａから受信装置Ｒへ転送できる。したがって、受信装置Ｒの通信環境が変化しても、動画および音声が途切れ途切れになったり、画像がモザイク状になったりしないので、良好な動画および音声で被監視者の状態を、受信装置Ｒのユーザは、確認できる。
【００６３】
また、本実施形態における被監視者監視システムＭＳａ、ならびに、被監視者監視装置Ｔａおよびこれに実装された被監視者監視方法は、対応情報にフレームレート優先の対応情報を含むので、このフレームレート優先の対応情報を用いることで、受信装置Ｒにおける現在の通信環境下で最もフレームレートの高い動画を受信装置Ｒで参照でき、監視対象の動作を、受信装置Ｒにおける現在の通信環境下で最も的確に把握できる。
【００６４】
また、本実施形態における被監視者監視システムＭＳａ、ならびに、被監視者監視装置Ｔａおよびこれに実装された被監視者監視方法は、対応情報に画像サイズ優先の対応情報を含むので、この画像サイズ優先の対応情報を用いることで、受信装置Ｒにおける現在の通信環境下で最も大きい画像、すなわち、最も解像度の高い画像を受信装置で参照でき、監視対象の様子を、受信装置Ｒにおける現在の通信環境下で最も的確に把握できる。
【００６５】
また、本実施形態における被監視者監視システムＭＳａ、ならびに、被監視者監視装置Ｔａおよびこれに実装された被監視者監視方法は、音入力部１２を備えるので、監視対象の画像だけでなく、監視対象の音も受信装置Ｒへ送信できる。このため、ユーザは、監視対象の音を参照することで、監視対象の様子をより的確に把握できる。
【００６６】
次に、別の実施形態について説明する。
（第２実施形態）
図６は、第２実施形態における被監視者監視システムの構成を示す図である。第１実施形態における被監視者監視システムＭＳａでは、対応情報は、被監視者監視装置Ｔａにおける記憶部１６ａの対応情報記憶部１６１に記憶されたが、第２実施形態における被監視者監視システムＭＳｂでは、被監視者監視装置が２個の第１および第２被監視者監視装置に分割され、対応情報は、サーバ装置として機能する第２被監視者監視装置に記憶される。
【００６７】
このような第２実施形態における被監視者監視システムＭＳｂは、第１実施形態における被監視者監視システムＭＳａと同様に、監視対象（見守り対象）である被監視者（見守り対象者）を監視するものであり、例えば、図６に示すように、第１被監視者監視装置Ｔｂ−１と、第２被監視者監視装置Ｔｂ−２と、受信装置Ｒと、通信回線ＣＬとを備える。これら第２実施形態の被監視者監視システムＭＳｂにおける受信装置Ｒおよび通信回線ＣＬは、それぞれ、第１実施形態の被監視者監視システムＭＳａにおける受信装置Ｒおよび通信回線ＣＬと同様であるので、その説明を省略する。
【００６８】
第１被監視者監視装置Ｔｂ−１は、第１実施形態における被監視者監視装置Ｔａと同様に、監視対象を撮像し、通信回線ＣＬを介して受信装置Ｒへ監視対象の画像の画像データを転送する装置であり、例えば、図６に示すように、撮像部１１と、音入力部１２と、音出力部１３と、制御処理部１４ｂと、通信部１５と、記憶部１６ｂとを備える。これら第２実施形態の第１被監視者監視装置Ｔｂ−１における撮像部１１、音入力部１２、音出力部１３および通信部１５は、それぞれ、第１実施形態の被監視者監視装置Ｔａにおける撮像部１１、音入力部１２、音出力部１３および通信部１５と同様であるので、その説明を省略する。
【００６９】
制御処理部１４ｂは、制御処理部１４ａと同様に、第１被監視者監視装置Ｔｂ−１の各部を当該各部の機能に応じてそれぞれ制御し、被監視者を監視するための回路であり、機能的に、例えば、図６に示すように、撮像制御部１４１と、音入力制御部１４２と、音出力制御部１４３と、画像データ変更処理部１４４ｂと、音データ変更処理部１４５ｂと、通信制御部１４６とを備える。これら第２実施形態の制御処理部１４ｂにおける撮像制御部１４１、音入力制御部１４２、音出力制御部１４３、通信制御部１４６は、それぞれ、第１実施形態の制御処理部１４ａにおける撮像制御部１４１、音入力制御部１４２、音出力制御部１４３、通信制御部１４６と同様であるので、その説明を省略する。
【００７０】
第２実施形態の制御処理部１４ｂにおける画像データ変更処理部１４４ｂは、第１実施形態における画像データ変更処理部１４４ａのように、受信装置Ｒにおける現在の通信環境に対応する画像データの容量を取得する際に用いる対応情報を記憶部１６ｂから取得するのではなく、第２被監視者監視装置Ｔｂ−２から提供を受ける点を除き、第１実施形態における画像データ変更処理部１４４ａと同様であるので、その説明を省略する。同様に、第２実施形態の制御処理部１４ｂにおける音データ変更処理部１４５ｂは、第１実施形態における音データ変更処理部１４５ａのように、受信装置Ｒにおける現在の通信環境に対応する音データの容量を取得する際に用いる対応情報を記憶部１６ｂから取得するのではなく、第２被監視者監視装置Ｔｂ−２から提供を受ける点を除き、第１実施形態における音データ変更処理部１４５ａと同様であるので、その説明を省略する。
【００７１】
第２被監視者監視装置Ｔｂ−２は、通信回線(通信ネットワーク)ＣＬを介して被監視者監視装置Ｔｂ−１と通信可能に接続され、対応情報を管理し、第１被監視者監視装置Ｔｂ−１の要求に応じて対応情報を第１被監視者監視装置Ｔｂ−１に提供するサーバ装置である。第２被監視者監視装置Ｔｂ−２は、例えば、図６に示すように、通信部５１と、制御処理部５２ｂと、記憶部５３ｂとを備える。
【００７２】
通信部５１は、通信部１５と同様に、制御処理部５２ｂに接続され、制御処理部５２ｂの制御に従って通信を行うための通信装置である。通信部５１は、制御処理部５２ｂから入力された転送すべきデータを収容した通信信号を、通信回線（通信ネットワーク）ＣＬで用いられる通信プロトコルに従って生成し、この生成した通信信号を通信回線（通信ネットワーク）ＣＬを介してクライアント装置（本実施形態では第１被監視者監視装置Ｔｂ−１）へ送信する。通信部５１は、通信回線（通信ネットワーク）ＣＬを介してクライアント装置から通信信号を受信し、この受信した通信信号からデータを取り出し、この取り出したデータを制御処理部５２ｂが処理可能な形式のデータに変換して制御処理部５２ｂへ出力する。
【００７３】
記憶部５３ｂは、記憶部１６ａと同様に、制御処理部５２ｂに接続され、制御処理部５２ｂの制御に従って、各種の所定のプログラムおよび各種の所定のデータを記憶する回路である。前記各種の所定のプログラムには、例えば、クライアント装置（本実施形態では第１被監視者監視装置Ｔｂ−１）の要求に応じたデータを提供するサーバプログラム等の制御処理プログラムが含まれる。記憶部５３ｂは、例えば不揮発性の記憶素子であるＲＯＭや書き換え可能な不揮発性の記憶素子であるＥＥＰＲＯＭ等を備える。記憶部５３ｂは、前記所定のプログラムの実行中に生じるデータ等を記憶するいわゆる制御処理部５２ｂのワーキングメモリとなるＲＡＭ等を含む。そして、記憶部５３ｂは、比較的大容量のハードディスクを備える。記憶部５３ｂは、機能的に、対応情報を記憶する対応情報記憶部５３１を備える。この対応情報記憶部５３１は、第１実施形態における対応情報記憶部１６１と同様であるので、その説明を省略する。
【００７４】
制御処理部５２ｂは、制御処理部１４ａと同様に、第２被監視者監視装置Ｔｂ−２の各部を当該各部の機能に応じてそれぞれ制御し、クライアント装置（本実施形態では第１被監視者監視装置Ｔｂ−１）の要求に応じたデータを提供するための回路である。制御処理部５２ｂは、例えば、ＣＰＵおよびその周辺回路を備えて構成される。制御処理部５２ｂには、制御処理プログラムが実行されることによって、通信制御部５２１が機能的に構成される。この通信制御部５２１は、第１実施形態における通信制御部１４６と同様であるので、その説明を省略する。
【００７５】
このような被監視者監視システムＭＳｂでは、第１被監視者監視装置Ｔｂ−１は、監視対象の画像の画像データを送信する際において、受信装置Ｒにおける現在の通信環境に対応する画像データの容量を取得する際に用いる対応情報を第２被監視者監視装置Ｔｂ−２に要求し、第２被監視者監視装置Ｔｂ−２からその提供を受ける。そして、第１被監視者監視装置Ｔｂ−１は、監視対象の音の音データを送信する際において、受信装置Ｒにおける現在の通信環境に対応する音データの容量を取得する際に用いる対応情報を第２被監視者監視装置Ｔｂ−２に要求し、第２被監視者監視装置Ｔｂ−２からその提供を受ける。第２実施形態における被監視者監視システムＭＳｂにおけるその他の動作は、第１実施形態における被監視者監視システムＭＳａの動作と同様であるので、その説明を省略する。
【００７６】
このような第２実施形態における被監視者監視システムＭＳｂ、ならびに、第１および第２被監視者監視装置Ｔｂ−１、Ｔｂ−２およびこれに実装された被監視者監視方法は、第１実施形態における被監視者監視システムＭＳａ、ならびに、被監視者監視装置Ｔａおよびこれに実装された被監視者監視方法と同様の作用効果を奏する。そして、第１および第２被監視者監視装置Ｔｂ−１、Ｔｂ−２の２個の装置によって被監視者監視装置Ｔａに相当する装置が構成されるので、第２実施形態では、第１および第２被監視者監視装置Ｔｂ−１、Ｔｂ−２を分散配置でき、被監視者監視装置Ｔｂ−１およびサーバ装置Ｔｂ−２を配設する施設の間取りに応じてこれらを配設できる。
【００７７】
次に、別の実施形態について説明する。
（第３実施形態）
図７は、第３実施形態における被監視者監視システムの構成を示す図である。第２実施形態における被監視者監視システムＭＳｂでは、第２被監視者監視装置Ｔｂ−２は、対応情報のみ管理し、第１被監視者監視装置Ｔｂ−２の要求に応じて、対応情報を第１被監視者監視装置Ｔｂ−１に提供したが、第３実施形態における被監視者監視システムＭＳｃでは、第２被監視者監視装置Ｔｃ−２が、画像データのデータ容量の変更処理および音データのデータ容量の変更処理を行うものである。
【００７８】
このような第３実施形態における被監視者監視システムＭＳｃは、第１実施形態における被監視者監視システムＭＳａと同様に、監視対象（見守り対象）である被監視者（見守り対象者）を監視するものであり、例えば、図７に示すように、第１被監視者監視装置Ｔｃ−１と、第２被監視者監視装置Ｔｃ−２と、受信装置Ｒと、通信回線ＣＬとを備える。これら第３実施形態の被監視者監視システムＭＳｃにおける受信装置Ｒおよび通信回線ＣＬは、それぞれ、第１実施形態の被監視者監視システムＭＳａにおける受信装置Ｒおよび通信回線ＣＬと同様であるので、その説明を省略する。
【００７９】
第１被監視者監視装置Ｔｃ−１は、第１実施形態における被監視者監視装置Ｔａと同様に、監視対象を撮像し、通信回線ＣＬを介して受信装置Ｒへ監視対象の画像の画像データを転送する装置であり、例えば、図７に示すように、撮像部１１と、音入力部１２と、音出力部１３と、制御処理部１４ｃと、通信部１５と、記憶部１６ｃとを備える。これら第３実施形態の第１被監視者監視装置Ｔｃ−１における撮像部１１、音入力部１２、音出力部１３および通信部１５は、それぞれ、第１実施形態の被監視者監視装置Ｔａにおける撮像部１１、音入力部１２、音出力部１３および通信部１５と同様であるので、その説明を省略する。
【００８０】
制御処理部１４ｃは、制御処理部１４ａと同様に、第１被監視者監視装置Ｔｃ−１の各部を当該各部の機能に応じてそれぞれ制御し、被監視者を監視するための回路であり、機能的に、例えば、図７に示すように、撮像制御部１４１と、音入力制御部１４２と、音出力制御部１４３と、通信制御部１４６とを備える。これら第３実施形態の制御処理部１４ｃにおける撮像制御部１４１、音入力制御部１４２、音出力制御部１４３、通信制御部１４６は、それぞれ、第１実施形態の制御処理部１４ａにおける撮像制御部１４１、音入力制御部１４２、音出力制御部１４３、通信制御部１４６と同様であるので、その説明を省略する。そして、制御処理部１４ｃは、監視対象における画像および音を受信装置Ｒへ送信する場合に、監視対象における画像の画像データおよび音の音データ、ならびに、送信先の受信装置Ｒにおける現在の通信環境を第２被監視者監視装置Ｔｃ−２へ送信し、送信先の受信装置Ｒにおける現在の通信環境に応じたデータ容量の監視対象における画像の画像データおよび音の音データを第２被監視者監視装置Ｔｃ−２から受信し、これを送信先の受信装置Ｒへ送信する。
【００８１】
第２被監視者監視装置Ｔｂ−２は、通信回線(通信ネットワーク)ＣＬを介して被監視者監視装置Ｔｂ−１と通信可能に接続され、対応情報を管理し、第１被監視者監視装置Ｔｂ−１の要求に応じて、データ容量を変更した監視対象における画像の画像データおよび音の音データを第１被監視者監視装置Ｔｂ−１に提供するサーバ装置である。第２被監視者監視装置Ｔｃ−２は、例えば、図７に示すように、通信部５１と、制御処理部５２ｃと、記憶部５３ｃとを備える。
【００８２】
通信部５１は、通信部１５と同様に、制御処理部５２ｃに接続され、制御処理部５２ｃの制御に従って通信を行うための通信装置である。通信部５１は、制御処理部５２ｃから入力された転送すべきデータを収容した通信信号を、通信回線（通信ネットワーク）ＣＬで用いられる通信プロトコルに従って生成し、この生成した通信信号を通信回線（通信ネットワーク）ＣＬを介してクライアント装置（本実施形態では第１被監視者監視装置Ｔｃ−１）へ送信する。通信部５１は、通信回線（通信ネットワーク）ＣＬを介してクライアント装置から通信信号を受信し、この受信した通信信号からデータを取り出し、この取り出したデータを制御処理部５２ｂが処理可能な形式のデータに変換して制御処理部５２ｃへ出力する。
【００８３】
記憶部５３ｃは、記憶部１６ａと同様に、制御処理部５２ｃに接続され、制御処理部５２ｃの制御に従って、各種の所定のプログラムおよび各種の所定のデータを記憶する回路である。前記各種の所定のプログラムには、例えば、クライアント装置（本実施形態では第１被監視者監視装置Ｔｃ−１）の要求に応じたデータを提供するサーバプログラム等の制御処理プログラムが含まれる。記憶部５３ｃは、例えば不揮発性の記憶素子であるＲＯＭや書き換え可能な不揮発性の記憶素子であるＥＥＰＲＯＭ等を備える。記憶部５３ｃは、前記所定のプログラムの実行中に生じるデータ等を記憶するいわゆる制御処理部５２ｃのワーキングメモリとなるＲＡＭ等を含む。そして、記憶部５３ｃは、比較的大容量のハードディスクを備える。記憶部５３ｃは、機能的に、対応情報を記憶する対応情報記憶部５３１を備える。この対応情報記憶部５３１は、第１実施形態における対応情報記憶部１６１と同様であるので、その説明を省略する。
【００８４】
制御処理部５２ｃは、制御処理部１４ａと同様に、第２被監視者監視装置Ｔｂ−２の各部を当該各部の機能に応じてそれぞれ制御し、クライアント装置（本実施形態では第１被監視者監視装置Ｔｃ−１）の要求に応じたデータを提供するための回路である。制御処理部５２ｃは、例えば、ＣＰＵおよびその周辺回路を備えて構成される。制御処理部５２ｃには、制御処理プログラムが実行されることによって、通信制御部５２１、画像データ変更処理部５２２および音データ変更処理部５２３が機能的に構成される。この通信制御部５２１、画像データ変更処理部５２２および音データ変更処理部５２３は、それぞれ、第１実施形態における通信制御部１４６、画像データ変更処理部１４４および音データ変更処理部１４５と同様であるので、その説明を省略する。
【００８５】
このような被監視者監視システムＭＳｂでは、第１被監視者監視装置Ｔｃ−１の制御処理部１４ｃは、監視対象における画像および音を受信装置Ｒへ送信する場合に、監視対象における画像の画像データおよび音の音データ、ならびに、送信先の受信装置Ｒにおける現在の通信環境を第２被監視者監視装置Ｔｃ−２へ送信する。これらを受信した第２被監視者監視装置Ｔｃ−２は、第１実施形態と同様の処理によって、送信先の受信装置Ｒにおける現在の通信環境に応じたデータ容量の監視対象における画像の画像データおよび音の音データを生成し、これらを第１被監視者監視装置Ｔｃ−１へ返信する。そして、第１被監視者監視装置Ｔｃ−１は、送信先の受信装置Ｒにおける現在の通信環境に応じたデータ容量の監視対象における画像の画像データおよび音の音データを第２被監視者監視装置Ｔｃ−２から受信し、これを送信先の受信装置Ｒへ送信する。
【００８６】
このような第３実施形態における被監視者監視システムＭＳｃ、ならびに、第１および第２被監視者監視装置Ｔｃ−１、Ｔｃ−２およびこれに実装された被監視者監視方法は、第１実施形態における被監視者監視システムＭＳａ、ならびに、被監視者監視装置Ｔａおよびこれに実装された被監視者監視方法と同様の作用効果を奏する。そして、第１および第２被監視者監視装置Ｔｃ−１、Ｔｃ−２の２個の装置によって被監視者監視装置Ｔａに相当する装置が構成されるので、第３実施形態では、第１および第２被監視者監視装置Ｔｃ−１、Ｔｃ−２を分散配置でき、被監視者監視装置Ｔｃ−１およびサーバ装置Ｔｃ−２を配設する施設の間取りに応じてこれらを配設できる。
【００８７】
なお、上述では、第１被監視者監視装置Ｔｃ−１は、監視対象における画像および音を受信装置Ｒへ送信する場合に、監視対象における画像の画像データおよび音の音データ、ならびに、送信先の受信装置Ｒにおける現在の通信環境を第２被監視者監視装置Ｔｃ−２へ送信し、送信先の受信装置Ｒにおける現在の通信環境に応じたデータ容量の監視対象における画像の画像データおよび音の音データを第２被監視者監視装置Ｔｃ−２から受信し、これを送信先の受信装置Ｒへ送信するように構成されたが、第１被監視者監視装置Ｔｃ−１は、監視対象における画像および音を受信装置Ｒへ送信する場合に、監視対象における画像の画像データおよび音の音データ、ならびに、送信先の受信装置Ｒにおける現在の通信環境を第２被監視者監視装置Ｔｃ−２へ送信するように構成され、第２被監視者監視装置Ｔｃ−２は、送信先の受信装置Ｒにおける現在の通信環境に応じたデータ容量の監視対象における画像の画像データおよび音の音データを送信先の受信装置Ｒへ送信するように構成されてもよい。
【００８８】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００８９】
ＭＳａ、ＭＳｂ、ＭＳｃ  被監視者監視システム
Ｔａ  被監視者監視装置
Ｔｂ−１、Ｔｃ−１  第１被監視者監視装置
Ｔｂ−２、Ｔｃ−２  第２被監視者監視装置
Ｒ  受信装置
１１  撮像部
１２  音入力部
１３、２２  音出力部
１４ａ、１４ｂ、１４ｃ、２３、５２ｂ、５２ｃ  制御処理部
１６ａ、１６ｂ、１６ｃ、２６、５３ｂ、５３ｃ  記憶部
２５  通信環境検出部
１４４ａ、１４４ｂ、５２２  画像データ変更処理部
１４５ａ、１４５ｂ、５２３  音データ変更処理部
１６１、５３１  対応情報記憶部
２３４  通信環境判定処理部
２３５  通信環境通知処理部
【図１】
2019201437.tif 000003
【図２】
2019201437.tif 000004
【図３】
2019201437.tif 000005
【図４】
2019201437.tif 000006
【図５】
2019201437.tif 000007
【図６】
2019201437.tif 000008
【図７】
2019201437.tif 000009
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
各監視者がそれぞれ携帯する複数の携帯装置と、サーバ装置と、監視対象の被監視者の居住空間である個室に設置される１又は複数の被監視者監視装置とを備え、前記複数の携帯装置、前記サーバ装置、および前記被監視者監視装置が、通信回線によって互いに通信可能に接続された被監視者監視システムであって、
前記複数の携帯装置は、それぞれ、
通信を行う携帯側通信部と、
所定の状態変化が生じると、当該状態変化を表す変化情報を発信する変化情報処理部とを備え、
前記サーバ装置は、
通信を行うサーバ側通信部と、
前記被監視者監視装置に関する装置情報を記憶する装置情報記憶部とを備え、
前記被監視者監視装置は、
前記被監視者を撮像し、前記被監視者の画像の動画データを生成する撮像部と、
通信を行う監視側通信部と、
前記撮像部で生成した前記被監視者の画像の動画データを前記携帯装置へ送信する場合に、前記変化情報および前記装置情報に基づき、前記監視側通信部を用いて前記通信回線を経由して、前記動画データを、前記送信する送信先の携帯装置へ送信する監視側通信制御部とを備える、
被監視者監視システム。
【請求項２】
前記装置情報記憶部は、前記装置情報として、前記変化情報に対応する対応情報を記憶し、
前記変化情報処理部は、前記変化情報を、前記携帯側通信部を用いて前記通信回線を経由して、前記被監視者監視装置へ送信し、
前記被監視者監視装置は、前記携帯装置から送信された前記変化情報を、前記複数の携帯装置ごとに記憶する監視側記憶部をさらに備え、
前記監視側通信制御部は、前記携帯装置から送信された前記変化情報に対応する対応情報を、前記監視側通信部を用いて前記通信回線を経由して、前記サーバ装置に要求し、
前記サーバ装置は、前記対応情報を前記被監視者監視装置から要求されると、要求された前記対応情報を前記装置情報記憶部から取得し、取得した前記対応情報を、前記サーバ側通信部を用いて前記通信回線を経由して、前記被監視者監視装置へ送信するサーバ側通信制御部をさらに備える、
請求項１に記載の被監視者監視システム。
【請求項３】
前記携帯装置は、
通信環境を検出する通信環境検出部と、
前記通信環境検出部で検出した通信環境に所定の変化が、前記所定の状態変化として生じたか否かを判定する通信環境判定処理部とをさらに備え、
前記変化情報処理部は、前記通信環境判定処理部で前記通信環境に前記所定の変化が生じたと判定した場合に、前記通信環境検出部で検出した通信環境を現在の通信環境として該現在の通信環境を示す現在通信環境情報を、前記変化情報として、前記被監視者監視装置へ送信し、
前記装置情報記憶部は、前記対応情報として、通信環境と画像データの容量との対応関係を記憶し、
前記監視側通信制御部は、前記携帯装置から送信された前記現在通信環境情報に示される前記現在の通信環境に対応する前記画像データの容量を、前記対応情報として、前記サーバ装置に要求し、
前記サーバ側通信制御部は、要求された前記画像データの容量を前記装置情報記憶部から取得し、取得した前記画像データの容量を、前記対応情報として前記被監視者監視装置へ送信し、
前記監視側通信制御部は、前記サーバ装置から送信された前記画像データの容量で、前記動画データを前記送信先の携帯装置へ送信する、
請求項２に記載の被監視者監視システム。
【手続補正２】
【補正対象書類名】明細書
【補正対象項目名】０００１
【補正方法】変更
【補正の内容】
【０００１】
本発明は、監視すべき監視対象である被監視者を監視する被監視者監視システムに関する。
【手続補正３】
【補正対象書類名】明細書
【補正対象項目名】０００８
【補正方法】変更
【補正の内容】
【０００８】
本発明は、上述の事情に鑑みて為された発明であり、その目的は、監視すべき監視対象である被監視者を監視する被監視者監視システムを提供することである。
【手続補正４】
【補正対象書類名】明細書
【補正対象項目名】０００９
【補正方法】変更
【補正の内容】
【０００９】
本発明者は、種々検討した結果、上記目的は、以下の本発明により達成されることを見出した。すなわち、本発明の一態様にかかる被監視者監視システムは、各監視者がそれぞれ携帯する複数の携帯装置と、サーバ装置と、監視対象の被監視者の居住空間である個室に設置される１又は複数の被監視者監視装置とを備え、前記携帯装置、前記サーバ装置、および前記被監視者監視装置が、通信回線によって互いに通信可能に接続された被監視者監視システムであって、前記複数の携帯装置は、それぞれ、通信を行う携帯側通信部と、所定の状態変化が生じると、当該状態変化を表す変化情報を発信する変化情報処理部とを備え、前記サーバ装置は、通信を行うサーバ側通信部と、前記被監視者監視装置に関する装置情報を記憶する装置情報記憶部とを備え、前記被監視者監視装置は、前記被監視者を撮像し、前記被監視者の画像の動画データを生成する撮像部と、通信を行う監視側通信部と、前記撮像部で生成した前記被監視者の画像の動画データを前記携帯装置へ送信する場合に、前記変化情報および前記装置情報に基づき、前記監視側通信部を用いて前記通信回線を経由して、前記動画データを、前記送信する送信先の携帯装置へ送信する監視側通信制御部とを備えることを特徴とする。
【手続補正５】
【補正対象書類名】明細書
【補正対象項目名】００１０
【補正方法】変更
【補正の内容】
【００１０】
上記態様において、前記装置情報記憶部は、前記装置情報として、前記変化情報に対応する対応情報を記憶し、前記変化情報処理部は、前記変化情報を、前記携帯側通信部を用いて前記通信回線を経由して、前記被監視者監視装置へ送信し、前記被監視者監視装置は、前記携帯装置から送信された前記変化情報を、前記複数の携帯装置ごとに記憶する監視側記憶部をさらに備え、前記監視側通信制御部は、前記携帯装置から送信された前記変化情報に対応する対応情報を、前記監視側通信部を用いて前記通信回線を経由して、前記サーバ装置に要求し、前記サーバ装置は、前記対応情報を前記被監視者監視装置から要求されると、要求された前記対応情報を前記装置情報記憶部から取得し、取得した前記対応情報を、前記サーバ側通信部を用いて前記通信回線を経由して、前記被監視者監視装置へ送信するサーバ側通信制御部をさらに備えてもよい。
【手続補正６】
【補正対象書類名】明細書
【補正対象項目名】００１１
【補正方法】変更
【補正の内容】
【００１１】
上記態様において、前記携帯装置は、通信環境を検出する通信環境検出部と、前記通信環境検出部で検出した通信環境に所定の変化が、前記所定の状態変化として生じたか否かを判定する通信環境判定処理部とをさらに備え、前記変化情報処理部は、前記通信環境判定処理部で前記通信環境に前記所定の変化が生じたと判定した場合に、前記通信環境検出部で検出した通信環境を現在の通信環境として該現在の通信環境を示す現在通信環境情報を、前記変化情報として、前記被監視者監視装置へ送信し、前記装置情報記憶部は、前記対応情報として、通信環境と画像データの容量との対応関係を記憶し、前記監視側通信制御部は、前記携帯装置から送信された前記現在通信環境情報に示される前記現在の通信環境に対応する前記画像データの容量を、前記対応情報として、前記サーバ装置に要求し、前記サーバ側通信制御部は、要求された前記画像データの容量を前記装置情報記憶部から取得し、取得した前記画像データの容量を、前記対応情報として前記被監視者監視装置へ送信し、前記監視側通信制御部は、前記サーバ装置から送信された前記画像データの容量で、前記動画データを前記送信先の携帯装置へ送信してもよい。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
本発明にかかる被監視者監視システムは、監視すべき監視対象である被監視者を監視できる。